(57)【特許請求の範囲】
【請求項１】
電話回線に接続可能な２つの端子を有する回線接続端子と、
前記回線接続端子の一方の端子と第１接続線を介して接続され、前記回線接続端子の他方の端子と第２接続線を介して接続されるモデム部と、
第１電極及び第２電極を有し、前記第１電極が前記第１接続線に接続される第１コンデンサと、
第３電極及び第４電極を有し、前記第３電極が前記第２接続線に接続される第２コンデンサと、
前記電話回線に印加される電圧のうち前記第１コンデンサを通過し第２電極から出力される交流電圧と、前記電話回線に印加される電圧のうち前記第２コンデンサを通過し第４電極から出力される交流電圧と、の電位差を直流電圧に変換する直流電圧変換部と、
を備え、
前記直流電圧変換部によって変換された前記直流電圧によって前記モデム部が起動される、
通信装置。
【請求項２】
請求項１に記載の通信装置であって、
更に、
商用電源に接続され、直流電圧を出力する電源部と、
前記モデム部と前記電源部との間に設けられ、前記モデム部と前記電源部との間を接続、又は、非接続にするスイッチ部と、
を備え、
前記モデム部は、前記直流電圧変換部から直流電圧が供給されたことに応答して所定信号を出力し、
前記スイッチ部は、前記所定信号によって前記モデム部と前記電源部との間を接続する、
通信装置。
【請求項３】
請求項２に記載の通信装置であって、
更に、
制御部、
を備え、
前記制御部は、前記スイッチ部を介して前記電源部に接続され、
前記モデム部は、前記直流電圧変換部から直流電圧が供給されたことに応答して前記所定信号を出力し、
前記スイッチ部は、前記所定信号の入力を受けて、前記制御部と前記電源部との間を接続する、
通信装置。
【請求項４】
請求項２に記載の通信装置であって、
更に、
画像形成部と、
操作部と、
前記画像形成部を制御するメイン制御部と、
前記操作部の操作を検知するサブ制御部と、
を備え、
前記サブ制御部は、前記所定信号の入力又は前記操作部における所定の操作の検知を受けて、前記メイン制御部及び前記画像形成部を起動するとともに、スイッチ信号を出力し、
前記スイッチ部は、前記スイッチ信号の入力を受けて、前記モデム部と前記電源部との間を接続する、
通信装置。
【請求項５】
請求項１〜４のいずれか一項に記載の通信装置であって、
前記直流電圧変換部は、
第１入力端子、第２入力端子、第１出力端子及び第２出力端子を有し、前記第１入力端子が前記第２電極に接続され、前記第２入力端子が前記第４電極に接続され、前記第２出力端子が接地されるダイオードブリッジを含む、
通信装置。
【請求項６】
請求項５に記載の通信装置であって、
前記直流電圧変換部は、更に、
第５電極及び第６電極を有し、前記第５電極が前記第１出力端子に接続される抵抗素子と、
一端が前記第６電極に接続され、他端が前記モデム部に接続される第３接続線と、
第７電極及び第８電極を有し、前記第７電極が前記第３接続線の途中に位置する第１接続点に接続され、前記第８電極が接地される第３コンデンサとを含む、
通信装置。
【請求項７】
請求項６に記載の通信装置であって、
前記直流電圧変換部は、更に、
カソードが前記第３接続線における前記第１接続点よりも前記モデム部側に位置する第２接続点に接続され、アノードが接地されるツェナーダイオードを含む、
通信装置。
【請求項８】
請求項１〜７のいずれか一項に記載の通信装置であって、
更に、
前記直流電圧変換部と
アノードが前記直流電圧変換部と電気的に接続され、カソードが前記モデム部と電気的に接続されるダイオード、
を備える、
通信装置。
【発明の詳細な説明】
【技術分野】
【０００１】
本発明は、電話回線を使用する通信を行う通信装置に関する。
【背景技術】
【０００２】
従来、電話回線を使用する通信を行う通信装置がある。
【０００３】
この種の通信装置において、電話回線がモデム部に接続されているときにのみ、モデム部に電力を供給する構成が提案されている。特許文献１の通信装置では、電話回線の電圧を検出する回線電圧検出回路が設けられ、電話回線がモデム部に接続されて、回線電圧検出回路により電話回線上の電圧が検出されている状態では、モデム部に電源電力が供給される。電話回線がモデム部に接続されておらず、回線電圧検出回路により電話回線上の電圧が検出されない状態では、モデム部への電源電力の供給が停止される。
【先行技術文献】
【特許文献】
【０００４】
【特許文献１】特開２０００−３４１４３０号公報
【発明の概要】
【発明が解決しようとする課題】
【０００５】
しかしながら、特許文献１の通信装置では、電話回線がモデム部に接続されているか否かを常に監視するために、回線電圧検出回路に別途電力を供給する必要があり、消費電力を一層抑えることが望まれている。
【０００６】
本発明の目的は、電話回線がモデム部に接続されているか否かを常に監視することなく、通信装置のモデム部が電源オフの状態であっても、相手側からリング信号が送信されたときにモデム部が自動的に起動することができ、モデム部を常時起動しておく必要がない通信装置を提供することである。
【課題を解決するための手段】
【０００７】
前記の目的を達成するため、本発明の一の局面に係る通信装置は、電話回線に接続可能な２つの端子を有する回線接続端子と、回線接続端子の一方の端子と第１接続線を介して接続され、回線接続端子の他方の端子と第２接続線を介して接続されるモデム部と、第１電極及び第２電極を有し、第１電極が第１接続線に接続される第１コンデンサと、第３電極及び第４電極を有し、第３電極が第２接続線に接続される第２コンデンサと、電話回線に印加される電圧のうち第１コンデンサを通過し第２電極から出力される交流電圧と、電話回線に印加される電圧のうち第２コンデンサを通過し第４電極から出力される交流電圧との電位差を直流電圧に変換する直流電圧変換部とを備え、直流電圧変換部によって変換された直流電圧によってモデム部が起動される。
【０００８】
通信装置の回線接続端子に電話回線が接続されている状態では、４８Ｖ程度の直流電圧が常時印加されている。また、相手側から電話回線を通して通信装置に送られるリング信号等の電気信号は、上記直流電圧に交流電圧が重畳されている。第１コンデンサと第２コンデンサとは、それぞれ常時印加されている直流電圧成分を通さず、相手側から送信される電気信号の交流電圧成分のみを通過させる。そして、その通過した交流電圧成分の電位差を直流電圧に変換し、その直流電圧がモデム部に供給される。
【０００９】
これにより、本発明の通信装置では、通信装置のモデム部が電源オフの状態であっても、相手側からリング信号が送信されたときに、モデム部が自動的に起動される。したがって、モデム部を常時起動しておく必要がない。
【００１０】
通信装置は、更に、商用電源に接続され、直流電圧を出力する電源部と、モデム部と電源部との間に設けられ、モデム部と電源部との間を接続、又は、非接続にするスイッチ部とを備え、モデム部は、直流電圧変換部から直流電圧が供給されたことに応答して所定信号を出力し、スイッチ部は、所定信号によってモデム部と電源部との間を接続してもよい。
【００１１】
電源部とモデム部とが接続され、電源部の電圧がモデム部に供給される。その結果、電源部からの安定した電圧をモデム部に供給することができ、モデム部を安定して動作させることができる。
【００１２】
通信装置は、更に、制御部を備え、制御部は、スイッチ部を介して電源部に接続され、モデム部は、直流電圧変換部から直流電圧が供給されたことに応答して所定信号を出力し、スイッチ部は、所定信号の入力を受けて、制御部と電源部との間を接続してもよい。
【００１３】
電話回線に交流電圧が印加される前は、電源部から制御部に電圧が供給されないので、制御部を動作が停止した状態に維持することができる。そのため、制御部の消費電力を抑制することができる。そして、電話回線に交流電圧が印加されると、電源部の電圧が制御部に供給されるので、制御部を起動させることができる。
【００１４】
通信装置は、更に、画像形成部と、操作部と、画像形成部を制御するメイン制御部と、操作部の操作を検知するサブ制御部とを備え、サブ制御部は、所定信号の入力又は操作部における所定の操作の検知を受けて、メイン制御部及び画像形成部を起動するとともに、スイッチ信号を出力し、スイッチ部は、スイッチ信号の入力を受けて、モデム部と電源部との間を接続してもよい。
【００１５】
この構成によれば、電源部から供給される電圧により動作するメイン制御部及びサブ制御部が設けられている。直流電圧変換部からモデム部に直流電圧が供給されたことに応答して、モデム部からサブ制御部に所定信号が入力されると、サブ制御部により、スイッチ信号が出力される。サブ制御部からスイッチ部にスイッチ信号が入力されると、スイッチ部によりモデム部と電源部との間が接続される。これにより、電源部の電圧がモデム部に供給される。その結果、電源部からの安定した電圧をモデム部に供給することができ、モデム部を安定して動作させることができる。
【００１６】
また、モデム部がリング信号を受信したときに、メイン制御部及び画像形成部が起動される。そのため、メイン制御部及び画像形成部を常時起動しておく必要がない。よって、メイン制御部及び画像形成部による電力の消費を抑制することができる。
【００１７】
また、ユーザが操作部を操作することにより、スイッチ部によりモデム部と電源部との間を接続又は非接続に切り替えることができる。これにより、モデム部がリング信号を受信したか否かにかかわらず、電源部からの電圧をモデム部に供給したり、供給を停止したりできる。
【００１８】
直流電圧変換部は、第１入力端子、第２入力端子、第１出力端子及び第２出力端子を有し、第１入力端子が第２電極に接続され、第２入力端子が第４電極に接続され、第２出力端子が接地されるダイオードブリッジを含んでもよい。
【００１９】
この構成によれば、第１コンデンサの第２電極に、ダイオードブリッジの第１入力端子が接続されている。また、第２コンデンサの第４電極に、ダイオードブリッジの第２入力端子が接続されている。ダイオードブリッジの機能により、第２電極と第４電極との電位差である交流電圧の極性を単一の極性に揃えることができる。
【００２０】
直流電圧変換部は、更に、第５電極及び第６電極を有し、第５電極が第１出力端子に接続される抵抗素子と、一端が第６電極に接続され、他端がモデム部に接続される第３接続線と、第７電極及び第８電極を有し、第７電極が第３接続線の途中に位置する第１接続点に接続され、第８電極が接地される第３コンデンサとを含んでもよい。
【００２１】
この構成によれば、ダイオードブリッジの第１出力端子は、抵抗素子の第５電極に接続され、抵抗素子の第６電極は、第３接続線の一端に接続されている。そして、第３接続線の第１接続点は、第３コンデンサの第７電極に接続されている。また、第３コンデンサの第８電極は、接地されている。これにより、抵抗素子及び第３コンデンサは、交流信号成分から所定周波数以上の高周波成分を除去して、所定周波数未満の低周波成分を出力端から出力するローパスフィルタを構成している。
【００２２】
そのため、ローパスフィルタの機能により、ダイオードブリッジの第１出力端子から出力される全波整流された交流電圧から高周波成分が除去されて、第３接続線に出力される。
【００２３】
直流電圧変換部は、更に、カソードが第３接続線における第１接続点よりもモデム部側に位置する第２接続点に接続され、アノードが接地されるツェナーダイオードを含んでもよい。
【００２４】
この構成によれば、第３接続線の第２接続点は、ツェナーダイオードのカソードに接続されている。また、ツェナーダイオードのアノードは、接地されている。これにより、ツェナーダイオードのアノード−カソード間に入力される直流電圧は、その大きさに関わらず、一低電圧に低下して出力される。よって、第３接続線の他端から出力される直流電圧をモデム部の駆動のための電圧としてモデム部に供給することができる。
【００２５】
通信装置は、更に、アノードが直流電圧変換部と電気的に接続され、カソードがモデム部と電気的に接続されるダイオードを備えてもよい。
【００２６】
この構成によれば、直流電圧変換部とモデム部との間に、ダイオードが介装されている。ダイオードのアノードは、直流電圧変換部と電気的に接続され、ダイオードのカソードは、モデム部と電気的に接続されている。これにより、モデム部側から直流電圧変換部に電流が流れることを阻止できる。
【発明の効果】
【００２７】
本発明によれば、通信装置において、モデム部が電源オフの状態であっても、相手側からリング信号が送信されたときにモデム部を自動的に起動させることができる。そのため、電話回線がモデム部に接続されているか否かを常に監視する必要がない。よって、モデム部を常時起動しておく必要がない。
【図面の簡単な説明】
【００２８】
【図１】本発明の一実施形態に係るファクシミリ装置の主要構成を示す構成図である。
【図２】電話回線に入力されたリング信号が直流電圧に変換させる過程を示すグラフである。
【図３】モデムＩＣの動作の流れを示すフローチャートである。
【図４】ＣＰＵの動作の流れを示すフローチャートである。
【図５】第２実施形態に係るＭＦＰの主要構成を示す構成図である。
【図６】第２実施形態に係るモデムＩＣの動作の流れを示すフローチャートである。
【図７】第２実施形態に係るサブＣＰＵの動作の流れを示すフローチャートである。
【図８】第２実施形態に係るメインＣＰＵの動作の流れを示すフローチャートである。
【発明を実施するための形態】
【００２９】
以下では、本発明の実施の形態について、添付図面を参照しつつ詳細に説明する。
【００３０】
＜ファクシミリ装置の主要構成＞
【００３１】
通信装置の一例としてのファクシミリ装置１は、図１に示されるように、画像読取部１０、画像形成部２０、回線接続端子の一例としてのモジュラジャック３０、モデム部４０、操作パネル５０及びＡＳＩＣ（Application Specific Integrated Circuit）６０を備えている。
【００３２】
画像読取部１０は、シートに形成されている画像をシートから読み取り、画像データとして非図示のＲＡＭに記憶させる。
【００３３】
画像形成部２０は、画像データに基づく印刷（カラー印刷又はモノクロ印刷）を実行し、シートに画像を形成する。画像形成の方式は、電子写真方式であってもよいし、インクジェット方式であってもよい。
【００３４】
モジュラジャック３０は、モジュラケーブル（図示せず）の一端が接続される端子である。モジュラジャック３０は、第１接点３１及び第２接点３２を有している。モジュラケーブルがモジュラジャック３０に挿入されることにより、モジュラケーブルの２つの局線のうちの一方が第１接点３１に接続され、他方が第２接点３２に接続される。モジュラケーブルの他端は、交換機（図示せず）に接続されている。
【００３５】
モデム部４０は、ＤＡＡ（Direct Access Arrangement）４１及びモデムＩＣ４２を備えている。
【００３６】
ＤＡＡ４１は、モジュラジャック３０の第１接点３１と接続されている第１接続線４３、及び、モジュラジャック３０の第２接点３２と接続されている第２接続線４４により、モジュラジャック３０と接続されている。ＤＡＡ４１は、モジュラケーブルがモジュラジャック３０に挿入されると、回線電圧を検知し、電話回線が接続されたことを検出する。
【００３７】
モデムＩＣ４２は、電話回線を介した通信を制御する。
【００３８】
操作パネル５０は、表示部及び操作部を含む。
【００３９】
表示部は、例えば、液晶表示器からなる。表示部には、各種の情報が表示される。
【００４０】
操作部は、各種の操作ボタンからなる。操作ボタンの押操作により、各種の入力が可能である。操作ボタンには、例えば、各種の指示（例えば、ファックス送信指示）を確定するための送信ボタン、各種の指示をキャンセルするためのキャンセルボタン、表示部に表示されるキーを選択するための十字ボタン、数字や文字を入力するためのテンキーなどが含まれる。
【００４１】
制御部の一例としてのＡＳＩＣ６０は、ＣＰＵ６１を内蔵している。ＡＳＩＣ６０には、交換機との間で送受信されるファクシミリ用通信データがモデム部４０を介して入出力される。ＣＰＵ６１は、ＡＳＩＣ６０に入力される情報に基づいて、各種の処理のためのプログラムを実行することにより、画像読取部１０及び画像形成部２０を制御し、モデム部４０を介した通信を制御する。
【００４２】
ファクシミリ装置１は、第１コンデンサ７０、第２コンデンサ７１、直流電圧変換部７２、電源部の一例としての低圧電源ＬＶＰＳ（Low Voltage Power Supply）７３及びスイッチ部７４を備えている。
【００４３】
直流電圧変換部７２は、ダイオードブリッジ７５、抵抗素子７６、第３コンデンサ７７、ツェナーダイオード７８及び第４コンデンサ７９を備えている。
【００４４】
第１コンデンサ７０の一方の電極（第１電極の一例）８０は、第１接続線４３と接続されている。第１コンデンサ７０の他方の電極（第２電極の一例）８１は、ダイオードブリッジ７５の第１入力端子８２に接続されている。
【００４５】
第２コンデンサ７１の一方の電極（第３電極の一例）８３は、第２接続線４４と接続されている。第２コンデンサ７１の他方の電極（第４電極の一例）８４は、ダイオードブリッジ７５の第２入力端子８５に接続されている。
【００４６】
ダイオードブリッジ７５の第１出力端子８６は、抵抗素子７６の一方の電極（第５電極の一例）８７に接続されている。
【００４７】
ダイオードブリッジ７５の第２出力端子８８は、接地されている。
【００４８】
抵抗素子７６の他方の電極（第６電極の一例）８９は、第３接続線９０の一端に接続されている。
【００４９】
第３接続線９０の他端は、ダイオードの一例としての第１ダイオード９１のアノード９２に接続されている。第１ダイオード９１のカソード９３は、モデムＩＣ４２の電源端子９４に接続されている。
【００５０】
第３コンデンサ７７の一方の電極（第７電極の一例）９５は、第３接続線９０の第１接続点９６に接続されている。第１接続点９６は、第３接続線９０の途中に位置している。第３コンデンサ７７の他方の電極（第８電極の一例）９７は、接地されている。
【００５１】
これにより、抵抗素子７６及び第３コンデンサ７７は、交流信号成分から所定周波数以上の高周波成分を除去して、所定周波数未満の低周波成分を出力するローパスフィルタを構成している。
【００５２】
ツェナーダイオード７８のカソード９８は、第３接続線９０の第２接続点９９に接続されている。第２接続点９９は、第３接続線９０において、第１接続点９６よりも第１ダイオード９１側に位置している。ツェナーダイオード７８のアノード１００は、接地されている。
【００５３】
第４コンデンサ７９の一方の電極１０１は、第３接続線９０の第３接続点１０２に接続されている。第３接続点１０２は、第３接続線９０において、第２接続点９９よりも第１ダイオード９１側に位置している。第４コンデンサ７９の他方の電極１０３は、接地されている。
【００５４】
直流電圧変換部７２は、交流信号成分を所定の直流電圧に変換する。
【００５５】
ＬＶＰＳ７３のプラス端子１０５は、スイッチ部７４の第２接点１０６と接続されている。ＬＶＰＳ７３のマイナス端子１０７は、接地されている。ＬＶＰＳ７３は、モデム部４０及びＡＳＩＣ６０に動作電力を供給するための電源である。ＬＶＰＳ７３は、商用電源に接続されている。
【００５６】
スイッチ部７４の第１接点１０８は、ＡＳＩＣ６０の電源端子１０９及び第２ダイオード１１０のアノード１１１に接続されている。
【００５７】
第２ダイオード１１０のカソード１１２は、モデムＩＣ４２の電源端子９４に接続されている。
【００５８】
また、スイッチ部７４には、モデムＩＣ４２からの信号線１１３及び操作パネル５０からの信号線１１４が接続されている。スイッチ部７４は、例えば、半導体スイッチである。スイッチ部７４は、モデムＩＣ４２からの信号線１１３又は操作パネル５０からの信号線１１４を介してスイッチ信号が入力されているときは、第１接点１０８と第２接点１０６との間が接続された閉状態になる。また、スイッチ部７４は、モデムＩＣ４２からの信号線１１３又は操作パネル５０からの信号線１１４を介してスイッチ信号が入力されていないときは、第１接点１０８と第２接点１０６との間が切断された開状態になる。以下では、スイッチ信号が入力又は出力されていることを、スイッチオン信号が入力又は出力されているといい、スイッチ信号が入力又は出力されていないことを、スイッチオフ信号が入力又は出力されているという。
【００５９】
＜モデムＩＣ起動電圧の生成＞
【００６０】
モデムＩＣ４２の起動電圧は、第１コンデンサ７０、第２コンデンサ７１及び直流電圧変換部７２により、電話回線に流れるリング信号が直流電圧に変換されることによって、生成される。
【００６１】
電話回線に流れるリング信号は、図２の（ａ）に示されるように、交流電圧信号に４８Ｖ程度の直流電圧（バイアス）が重畳された信号である。
【００６２】
第１コンデンサ７０及び第２コンデンサ７１の機能により、図２の（ｂ）に示されるように、リング信号から直流電圧がカットされ、第１コンデンサ７０の電極８１と第２コンデンサ７１の電極８４との間に、第１コンデンサ７０の電極８１と第２コンデンサ７１の電極８４との電位差である交流電圧が生じる。
【００６３】
そして、ダイオードブリッジ７５の機能により、図２の（ｃ）に示されるように、第１コンデンサ７０の電極８１と第２コンデンサ７１の電極８４との電位差である交流電圧の極性が単一の極性に揃えられて、抵抗素子７６に入力される。
【００６４】
抵抗素子７６に入力された交流電圧は、抵抗素子７６及び第３コンデンサ７７によって構成されるローパスフィルタの機能により、図２の（ｄ）に示されるように、高周波成分が除去された低周波の交流電圧に変換される。
【００６５】
この低周波の交流電圧は、ツェナーダイオード７８の機能により、図２の（ｅ）に示されるように、３．３Ｖの定電圧に変換されて、モデムＩＣ４２に入力される。
【００６６】
＜モデムＩＣの動作＞
【００６７】
交換機に接続されたモジュラケーブルがモジュラジャック３０に接続されている状態で、電話回線にリング信号が流れると、第１コンデンサ７０、第２コンデンサ７１及び直流電圧変換部７２によって、リング信号が３．３Ｖの直流電圧に変換されてモデムＩＣ４２に入力される。これにより、モデムＩＣ４２が起動され、モデムＩＣ４２において、図３に示される処理が実行される。
【００６８】
モデムＩＣ４２は、起動後、まず、信号線１１３にスイッチオン信号を出力する（Ｓ１）。これにより、スイッチ部７４が閉状態になり、ＬＶＰＳ７３からの電力がＡＳＩＣ６０及びモデムＩＣ４２に供給される。そして、ＣＰＵ６１が起動される。以後、モデム部４０の駆動電力には、ＬＶＰＳ７３からの電力が使用される。
【００６９】
そして、モデムＩＣ４２は、ＣＰＵ６１と連携して、リング信号によって開始される通信の処理を実行する（Ｓ２）。
【００７０】
そして、モデムＩＣ４２は、ＣＰＵ６１から通信終了信号を受信するまで待機する（Ｓ３：ＮＯ）。
【００７１】
通信終了信号を受信した場合（Ｓ３：ＹＥＳ）、モデムＩＣ４２は、スイッチオフ信号をスイッチ部７４に出力する（Ｓ４）。これにより、スイッチ部７４は、開状態になり、ＬＶＰＳ７３からＡＳＩＣ６０及びモデムＩＣ４２への電力供給が停止される。そして、ＣＰＵ６１及びモデムＩＣ４２が停止される。
【００７２】
＜ＣＰＵの動作＞
【００７３】
スイッチ部７４が開状態から閉状態に切り替えられることによって、ＣＰＵ６１が起動された場合、ＣＰＵ６１は、図４に示される処理を実行する。
【００７４】
ＣＰＵ６１が起動されたときには、モデム部４０は、電話回線を介してリング信号を受信している。そのため、ＣＰＵ６１は、モデムＩＣ４２に対する通信制御を実行する（Ｓ１１）。
【００７５】
通信が終了した場合、ＣＰＵ６１は、モデムＩＣ４２に対し、通信終了信号を出力する（Ｓ１２）。
【００７６】
＜モデムＩＣの動作電力＞
【００７７】
事業用電気通信設備規則の別表第４号に定める呼出信号（リング信号）送出条件によると、リング信号の送出電圧は、交流で、（７５−１０）Ｖ（ｒｍｓ）以上、（７５＋８）Ｖ（ｒｍｓ）以下であり、変動値は、１００Ｖ以下（波高値÷√２における値）と定められている。
【００７８】
リング信号を正弦波交流であるとすると、尖頭値（正弦波形におけるピークツーピークの値）の最小値は、次式（１）により、１８３．８５（Ｖ）である。
【００７９】
Ｖｍｉｎ＝（７５−１０）×２×√２＝１８３．８５（Ｖ）    ・・・（１）
【００８０】
変動値は、１００（Ｖ）以下であるので、変動値を加味した場合の端末機器に印可されるリング信号は８３．８５（Ｖ）以上である。
【００８１】
また、端末設備等規則の第１３条第２項第３号には、直流回路の電気的条件として、呼出信号受信時における直流回路のインピーダンスを２ｋΩ以上と定めている。
【００８２】
そのため、２ｋΩの抵抗値を有する回路をリング信号によって起動させる場合の電力を、変動値を加味した場合のリング信号の期待値を用いて算出すると、次式（２）により、３６８５．１１（ｍＷ）となる。
【００８３】
Ｐ＝Ｖ２÷Ｒ＝（８３．８５）２÷２ｋ＝３６８５．１１（ｍＷ）    ・・・（２）
【００８４】
多くのモデムＩＣは、３６８５．１１（ｍＷ）以下の電力で駆動可能である。したがって、リング信号から変換された直流電圧を用いてモデムＩＣを起動することは、可能である。
【００８５】
＜作用効果＞
【００８６】
以上のように、ファクシミリ装置１のモジュラジャック３０に電話回線が接続されている状態では、４８Ｖ程度の直流電圧が常時印加されている。また、相手側から電話回線を通してファクシミリ装置１に送られるリング信号は、上記直流電圧に交流電圧が重畳されている。第１コンデンサ７０と第２コンデンサ７１とは、それぞれ常時印加されている直流電圧成分を通さず、相手側から送信されるリング信号の交流電圧成分のみを通過させる。そして、その通過した交流電圧成分の電位差を直流電圧に変換し、その直流電圧がモデム部４０に供給される。
【００８７】
すると、ファクシミリ装置１では、モデム部４０が電源オフの状態であっても、相手側からリング信号が送信されたときにモデム部４０が自動的に起動される。したがって、モデム部４０を常時起動しておく必要がない。
【００８８】
ファクシミリ装置１は、更に、ＬＶＰＳ７３及びスイッチ部７４を備えている。ＬＶＰＳ７３は、商用電源に接続され、直流電圧を出力する。スイッチ部７４は、モデム部４０とＬＶＰＳ７３との間に設けられ、モデム部４０とＬＶＰＳ７３との間を接続、又は、非接続にする。モデム部４０は、直流電圧変換部７２から直流電圧が供給されたことに応答してスイッチオン信号を出力する。スイッチ部７４は、スイッチオン信号に従ってモデム部４０とＬＶＰＳ７３との間を接続する。
【００８９】
ＬＶＰＳ７３とモデム部４０とが接続され、ＬＶＰＳ７３の電圧がモデム部４０に供給される。その結果、ＬＶＰＳ７３からの安定した電圧をモデム部４０に供給することができ、モデム部４０を安定して動作させることができる。
【００９０】
ファクシミリ装置１は、更に、ＡＳＩＣ６０を備えている。ＡＳＩＣ６０は、スイッチ部７４を介してＬＶＰＳ７３に接続されている。モデム部４０は、直流電圧変換部７２から直流電圧が供給されたことに応答してスイッチオン信号を出力する。スイッチ部７４は、スイッチオン信号に従ってＡＳＩＣ６０とＬＶＰＳ７３との間を接続状態にする。
【００９１】
電話回線に交流電圧が印加される前は、ＬＶＰＳ７３からＡＳＩＣ６０に電圧が供給されないので、ＡＳＩＣ６０を動作が停止した状態に維持することができる。そのため、ＡＳＩＣ６０の消費電力を抑制することができる。そして、電話回線に交流電圧が印加されると、ＬＶＰＳ７３の電圧がＡＳＩＣ６０に供給されるので、ＡＳＩＣ６０を起動させることができる。
【００９２】
直流電圧変換部７２は、ダイオードブリッジ７５を含んでいる。ダイオードブリッジ７５は、第１入力端子８２、第２入力端子８５、第１出力端子８６及び第２出力端子８８を有している、ダイオードブリッジ７５は、第１入力端子８２が第１コンデンサ７０の電極８１に接続され、第２入力端子８５が第２コンデンサ７１の電極８４に接続され、第２出力端子８８が接地されている。
【００９３】
ダイオードブリッジ７５の機能により、第１コンデンサ７０の電極８１と第２コンデンサ７１の電極８４との電位差である交流電圧の極性を単一の極性に揃えることができる。
【００９４】
直流電圧変換部７２は、更に、抵抗素子７６、第３接続線９０及び第３コンデンサ７７を含んでいる。抵抗素子７６は、電極８７及び電極８９を有している。抵抗素子７６は、電極８７がダイオードブリッジ７５の第１出力端子８６に接続されている。第３接続線９０は、一端が抵抗素子７６の電極８９に接続され、他端が第１ダイオード９１を介してモデム部４０に接続されている。第３コンデンサ７７は、電極９５及び電極９７を有している。第３コンデンサ７７は、電極９５が第３接続線９０の途中に位置する第１接続点９６に接続され、電極９７が接地されている。
【００９５】
これにより、抵抗素子７６及び第３コンデンサ７７は、交流信号成分から所定周波数以上の高周波成分を除去して、所定周波数未満の低周波成分を出力端から出力するローパスフィルタを構成している。
【００９６】
そのため、ローパスフィルタの機能により、ダイオードブリッジ７５の第１出力端子８６から出力される全波整流された交流電圧から高周波成分が除去されて、第３接続線９０に出力される。
【００９７】
直流電圧変換部７２は、更に、ツェナーダイオード７８を含んでいる。ツェナーダイオード７８は、カソード９８が第３接続線９０における第１接続点９６よりもモデム部４０側に位置する第２接続点９９に接続され、アノード１００が接地されている。
【００９８】
これにより、ツェナーダイオード７８のアノード１００−カソード９８間に入力される直流電圧は、その大きさに関わらず、一低電圧に低下して出力される。よって、第３接続線９０の他端（第１ダイオード９１のアノード９２と接続されている端部）から出力される直流電圧をモデム部４０の駆動のための電圧としてモデム部４０に供給することができる。
【００９９】
ファクシミリ装置１は、更に、アノード９２が直流電圧変換部７２と電気的に接続され、カソード９３がモデム部４０と電気的に接続される第１ダイオード９１を備えている。
【０１００】
これにより、モデム部４０側から直流電圧変換部７２に電流が流れることを阻止できる。
【０１０１】
＜第２実施形態＞
【０１０２】
通信装置の一例として、ファクシミリ装置１に代えて、ＭＦＰ（Multi-Function Peripheral）が採用されてもよい。その場合、ＭＦＰは、図１に示される構成に代えて、図５に示される構成を有していてもよい。
【０１０３】
ＭＦＰ２０１は、図５に示されるように、画像読取部２１０、画像形成部２２０、ネットワークインターフェース（Ｉ／Ｆ）２３０、回線接続端子の一例としてのモジュラジャック２４０、モデム部２５０、操作パネル２６０及びＡＳＩＣ２７０を備えている。
【０１０４】
画像読取部２１０は、シートに形成されている画像をシートから読み取り、画像データとして非図示のＲＡＭに記憶させる。
【０１０５】
画像形成部２２０は、画像データに基づく印刷（カラー印刷又はモノクロ印刷）を実行し、シートに画像を形成する。画像形成の方式は、電子写真方式であってもよいし、インクジェット方式であってもよい。
【０１０６】
ネットワークインターフェース２３０は、ＬＡＮに接続されているＰＣなどの外部装置との通信のためのインターフェースである。通信の方式は、無線通信方式であってもよいし、有線通信方式であってもよい。
【０１０７】
モジュラジャック２４０は、非図示の交換機と接続されているモジュラケーブルが接続される端子である。モジュラジャック２４０は、第１接点２４１及び第２接点２４２を有している。モジュラケーブルがモジュラジャック２４０に挿入されることにより、モジュラケーブルの２つの局線のうちの一方が第１接点２４１に接続され、他方が第２接点２４２に接続される。
【０１０８】
モデム部２５０は、ＤＡＡ２５１及びモデム回路の一例としてのモデムＩＣ２５２を備えている。
【０１０９】
ＤＡＡ２５１は、モジュラジャック２４０の第１接点２４１と接続されている第１接続線２５３、及び、モジュラジャック２４０の第２接点２４２と接続されている第２接続線２５４により、モジュラジャック２４０と接続されている。ＤＡＡ２５１は、モジュラケーブルがモジュラジャック２４０に挿入されると、回線電圧を検知し、電話回線が接続されたことを検出する。
【０１１０】
モデムＩＣ２５２は、電話回線を介した通信を制御する。
【０１１１】
操作パネル２６０は、表示部及び操作部を含む。
【０１１２】
表示部は、例えば、液晶表示器からなる。表示部には、各種の情報が表示される。
【０１１３】
操作部は、各種の操作ボタンからなる。操作ボタンの押操作により、各種の入力が可能である。操作ボタンには、例えば、各種の指示（例えば、ファックス送信指示）を確定するための送信ボタン、各種の指示をキャンセルするためのキャンセルボタン、表示部に表示されるキーを選択するための十字ボタン、数字や文字を入力するためのテンキーなどが含まれる。
【０１１４】
ＡＳＩＣ２７０は、メイン制御部の一例としてのメインＣＰＵ２７１及びサブ制御部の一例としてのサブＣＰＵ２７２を内蔵している。ＡＳＩＣ２７０には、交換機との間で送受信されるファクシミリ用通信データがモデム部２５０を介して入出力される。メインＣＰＵ２７１は、ＡＳＩＣ２７０に入力される情報に基づいて、各種の処理のためのプログラムを実行することにより、画像読取部２１０及び画像形成部２２０を制御し、ネットワークインターフェース２３０を介した通信を制御する。サブＣＰＵ２７２は、ＡＳＩＣ２７０に入力される情報に基づいて、各種の処理のためのプログラムを実行することにより、画像読取部２１０及び画像形成部２２０を制御し、モデム部２５０を介した通信を制御する。メインＣＰＵ２７１は、サブＣＰＵ２７２からの起動信号により起動される。
【０１１５】
ＭＦＰ２０１は、第１コンデンサ２８１、第２コンデンサ２８２、直流電圧変換部７２、電源部の一例としての低圧電源ＬＶＰＳ（Low Voltage Power Supply）２８３及びスイッチ部２８４を備えている。
【０１１６】
直流電圧変換部７２は、図１に示される直流電圧変換部７２と同一の構成を有している。そのため、図５において、図１に示される直流電圧変換部７２の各部に相当する部分には、それらの各部と同一の参照符号が付されている。図５に示される直流電圧変換部７２については、説明を省略する。
【０１１７】
第１コンデンサ２８１の一方の電極（第１電極の一例）２９１は、第１接続線２５３と接続されている。第１コンデンサ２８１の他方の電極（第２電極の一例）２９２は、ダイオードブリッジ７５の第１入力端子８２に接続されている。
【０１１８】
第２コンデンサ２８２の一方の電極（第３電極の一例）２９３は、第２接続線２５４と接続されている。第２コンデンサ２８２の他方の電極（第４電極の一例）２９４は、ダイオードブリッジ７５の第２入力端子８５に接続されている。
【０１１９】
第３接続線９０の他端は、ダイオード２９５のアノード２９６に接続されている。ダイオード２９５のカソード２９７は、モデムＩＣ２５２の電源端子２９８に接続されている。
【０１２０】
ＬＶＰＳ２８３のプラス端子２９９は、スイッチ部２８４の第２接点３００及びＡＳＩＣ２７０と接続されている。ＬＶＰＳ２８３のマイナス端子３０１は、接地されている。ＬＶＰＳ２８３は、モデム部２５０及びＡＳＩＣ２７０に動作電力を供給するための電源である。ＬＶＰＳ２８３は、商用電源に接続されている。
【０１２１】
スイッチ部２８４の第１接点３０２は、モデムＩＣ２５２の電源端子２９８及びダイオード２９５のカソード２９７に接続されている。
【０１２２】
また、スイッチ部２８４には、サブＣＰＵ２７２からの信号線３０３が接続されている。スイッチ部２８４は、例えば、半導体スイッチである。スイッチ部２８４は、サブＣＰＵ２７２からの信号線３０３を介してスイッチオン信号が入力されているときは、第１接点３０２と第２接点３００との間が接続された閉状態になる。また、スイッチ部２８４は、サブＣＰＵ２７２からの信号線３０３を介してスイッチオフ信号が入力されているときは、第１接点３０２と第２接点３００との間が切断された開状態になる。
【０１２３】
モデムＩＣ２５２は、モデムＩＣ２５２の起動時に、サブＣＰＵ２７２に対して、起動通知信号を出力する。
【０１２４】
サブＣＰＵ２７２は、操作パネル２６０に対し、省エネルギーモードの解除指示や、ファックス送信指示、コピー指示又は画像読取指示などのＭＦＰ２０１が備える機能の実行指示が入力されたときに、その入力を検知する。
【０１２５】
サブＣＰＵ２７２は、モデムＩＣ２５２から起動通知信号が入力された場合に、スイッチ部２８４に対して、スイッチオン信号を出力する。また、サブＣＰＵ２７２は、操作パネル２６０に対し、省エネルギーモードの解除指示や、ファックス送信指示、コピー指示又は画像読取指示などのＭＦＰ２０１が備える機能の実行指示が入力され、その入力を検知したときに、スイッチ部２８４に対して、スイッチオン信号を出力する。
【０１２６】
＜モデムＩＣの動作＞
【０１２７】
交換機に接続されたモジュラケーブルがモジュラジャック３０に接続されている状態で、電話回線にリング信号が流れると、第１コンデンサ２８１、第２コンデンサ２８２及び直流電圧変換部７２によって、リング信号が３．３Ｖの直流電圧に変換されてモデムＩＣ２５２に入力される。これにより、モデムＩＣ２５２が起動され、モデムＩＣ２５２において、図６に示される処理が実行される。
【０１２８】
モデムＩＣ２５２は、起動後、まず、サブＣＰＵ２７２に対し、起動通知信号を出力する（Ｓ２１）。
【０１２９】
そして、モデムＩＣ２５２は、メインＣＰＵ２７１と連携して、リング信号によって開始される通信の処理を実行する（Ｓ２２）。
【０１３０】
＜サブＣＰＵの動作＞
【０１３１】
ＭＦＰ２０１の電源が投入されている間、ＡＳＩＣ２７０のサブＣＰＵ２７２は、図７に示される処理を繰り返し実行する。
【０１３２】
サブＣＰＵ２７２は、モデムＩＣ２５２から起動通知信号が入力されたか否かを判断する（Ｓ３１）。
【０１３３】
起動通知信号が入力された場合（Ｓ３１：ＹＥＳ）、サブＣＰＵ２７２は、信号線３０３にスイッチオン信号を出力する。これにより、スイッチ部２８４が閉状態になり、ＬＶＰＳ２８３からの電力がモデムＩＣ２５２に供給される。そして、モデムＩＣ２５２の駆動電力がＬＶＰＳ２８３からの電力に切り替えられる。
【０１３４】
起動通知信号が入力されていない場合（Ｓ３１：ＮＯ）、サブＣＰＵ２７２は、操作パネル２６０からの入力として、ＭＦＰ２０１のファックス機能を起動させる指示であるファックスオンが受け付けられたか否かを判断する（Ｓ３２）。
【０１３５】
ファックスオンが受け付けられていない場合（Ｓ３２：ＮＯ）、サブＣＰＵ２７２は、前述したステップＳ３１以降の処理を繰り返す。
【０１３６】
ファックスオンが受け付けられた場合（Ｓ３２：ＹＥＳ）、サブＣＰＵ２７２は、信号線３０３にスイッチオン信号を出力する（Ｓ３３）。これにより、スイッチ部２８４が閉状態になり、ＬＶＰＳ２８３からの電力がモデムＩＣ２５２に供給される。そして、モデムＩＣ２５２の駆動電力がＬＶＰＳ２８３からの電力に切り替えられる。
【０１３７】
信号線３０３にスイッチオン信号を出力した後、サブＣＰＵ２７２は、メインＣＰＵ２７１を起動させる（Ｓ３４）。
【０１３８】
そして、サブＣＰＵ２７２は、メインＣＰＵ２７１から通信終了信号を受信するまで待機する（Ｓ３５：ＮＯ）。
【０１３９】
通信終了信号を受信した場合（Ｓ３５：ＹＥＳ）、サブＣＰＵ２７２は、メインＣＰＵ２７１を停止させる（Ｓ３６）。
【０１４０】
そして、サブＣＰＵ２７２は、信号線３０３にスイッチオフ信号を出力する（Ｓ３７）。これにより、スイッチ部２８４は、開状態になり、ＬＶＰＳ２８３からモデムＩＣ２５２への電圧の供給が停止される。そして、モデムＩＣ２５２が停止される。
【０１４１】
＜メインＣＰＵの動作＞
【０１４２】
メインＣＰＵ２７１は、サブＣＰＵ２７２により起動された場合、図８に示される処理を実行する。
【０１４３】
メインＣＰＵ２７１が起動されたときには、モデム部２５０は、電話回線を介してリング信号を受信している。そのため、メインＣＰＵ２７１は、モデムＩＣ２５２に対する通信制御を実行する（Ｓ４１）。
【０１４４】
通信が終了した場合、メインＣＰＵ２７１は、サブＣＰＵ２７２に対し、通信終了信号を出力する（Ｓ４２）。
【０１４５】
＜作用効果＞
【０１４６】
ＭＦＰ２０１は、画像形成部２２０と、操作パネル２６０と、画像形成部２２０を制御するメインＣＰＵ２７１と、操作パネル２６０からの操作を検知するサブＣＰＵ２７２とを備えている。
【０１４７】
サブＣＰＵ２７２は、モデム部２５０からの起動通知信号の入力又は操作パネル２６０における所定の操作、例えば、省エネルギーモードの解除指示や、ファックス送信指示、コピー指示又は画像読取指示などのＭＦＰ２０１が備える機能の実行指示の入力操作の検知を受けて、メインＣＰＵ２７１及び画像形成部２００を起動するとともに、スイッチオン信号を信号線３０３に出力する。
【０１４８】
スイッチ部２８４は、スイッチオン信号の入力を受けて、モデム部２５０とＬＶＰＳ２８３との間を接続する。
【０１４９】
これにより、ＬＶＰＳ２８３の電圧がモデム部２５０に供給される。その結果、ＬＶＰＳ２８３からの安定した電圧をモデム部２５０に供給することができ、モデム部２５０を安定して動作させることができる。
【０１５０】
また、モデム部２５０がリング信号を受信したときに、メインＣＰＵ２７１及び画像形成部２２０が起動される。そのため、メインＣＰＵ２７１及び画像形成部２２０による電力の消費を抑制することができる。
【０１５１】
また、ユーザが操作パネル２６０を操作することにより、スイッチ部２８４によりモデム部２５０とＬＶＰＳ２８３との間を接続又は非接続に切り替えることができる。これにより、モデム部２５０がリング信号を受信したか否かにかかわらず、ＬＶＰＳ２８３からの電圧をモデム部２５０に供給したり、供給を停止したりできる。
【０１５２】
＜変形例＞
【０１５３】
以上、本発明の実施形態について説明したが、本発明は、他の形態で実施することもできる。
【０１５４】
例えば、前述の実施形態では、モデム部２５０による通信が行われていないとき、メインＣＰＵ２７１は停止され、サブＣＰＵ２７２は起動されていた。このとき、サブＣＰＵ２７２の動作クロックを、モデム部２５０による通信が行われているときにおける動作クロックよりも遅くしてもよい。これにより、モデム部２５０による通信が行われていない状態のときのサブＣＰＵ２７２による消費電力をより低く抑えることができる。
【０１５５】
その他、前述の構成には、特許請求の範囲に記載された事項の範囲で種々の設計変更を施すことが可能である。
【符号の説明】
【０１５６】
１      ファクシミリ装置
３０    モジュラジャック
３１    第１端子
３２    第２端子
４０    モデム部
４３    第１接続線
４４    第２接続線
６０    ＡＳＩＣ
７０    第１コンデンサ
７１    第２コンデンサ
７２    直流電圧変換部
７３    ＬＶＰＳ
７４    スイッチ部
７５    ダイオードブリッジ
７６    抵抗素子
７７    第３コンデンサ
７８    ツェナーダイオード
８０    電極
８１    電極
８３    電極
８４    電極
８２    第１入力端子
８５    第２入力端子
８６    第１出力端子
８７    第２出力端子
８７    電極
８９    電極
９０    第３接続線
９１    第１ダイオード
９２    アノード
９３    カソード
９５    電極
９６    第１接続点
９７    電極
９８    カソード
９９    第２接続点
１００  アノード
２０１  ＭＦＰ
２２０  画像形成部
２６０  操作パネル
２７１  メイン制御部
２７２  サブ制御部
２８３  ＬＶＰＳ
２８４  スイッチ部
【図１】
0006375786.tif 000002
【図２】
0006375786.tif 000003
【図３】
0006375786.tif 000004
【図４】
0006375786.tif 000005
【図５】
0006375786.tif 000006
【図６】
0006375786.tif 000007
【図７】
0006375786.tif 000008
【図８】
0006375786.tif 000009